【手続補正書】
【提出日】令和3年4月16日(2021.4.16)
【手続補正１】
【補正対象書類名】明細書
【補正対象項目名】００１６
【補正方法】変更
【補正の内容】
【００１６】
上記目的達成のため、本願発明による視覚アプローチ適性検査システムは、被験者端末に通信ネットワークを介して接続される本部コンピュータからなる適性検査の検査システムであって、上記本部コンピュータは、境界エレメントにより多数のエリアが形成されそれ自体意味を有しない図形からなるチェックシート及び該チェックシートに付与される複数のアイコンを上記被験者端末に供する手段と、上記チェックシートに設定された境界エレメントについての定義を予め定めたテーブル１、上記アイコンの種類及び付与個数とその意味についての定義を予め定めたテーブル２、上記チェックシート上のアイコンの付与位置における意味を予め定義したテーブル３が各格納される記憶手段と、上記被験者端末から送信される被験者によるアイコン付与済みの検査データ及び被験者ＩＤを上記記憶手段にともに書き込む書込手段と、上記記憶手段に記憶された検査データ及び被験者ＩＤをともに読み出しアイコンの総数をカウントするカウントアップ実行手段と、読み出された上記検査データのアイコンの配置について、上記各テーブルの定義に該当するか否かの判定を実行する手段とを備え、上記各判定より得られる結果が上記本部コンピュータに保存され、検査対象物のアイコンの個数及び検査対象物の全体の形状により被験者の適性検査の評価資料とすることを特徴とする。
また請求項２による本願発明による視覚アプローチ適性検査システムは、請求項１記載の視覚アプローチ適性検査システムにおいて、上記境界エレメントがライン、角の全部又は一部であることを特徴とする。
また請求項３による本願発明による視覚アプローチ適性検査システムは、請求項２記載の視覚アプローチ適性検査システムにおいて、上記ラインが直線、曲線、破線の全部又は一部であることを特徴とする。
また請求項４による本願発明による視覚アプローチ適性検査システムは、請求項２又は請求項３記載の視覚アプローチ適性検査システムにおいて、上記角が枠のコーナ、ラインとラインの交点である接点の全部又は一部であることを特徴とする。
また請求項５による本願発明による視覚アプローチ適性検査システムは、請求項１乃至請求項４のいずれか記載の視覚アプローチ適性検査システムにおいて、上記本部コンピュータは、上記記憶手段にさらに複数のアイコン間又はアイコンとライン間の位置関係による関係性（以下「アイコン関係性」という）についての意味を予め定義したテーブル４が格納され、読み出された上記検査データのアイコンの配置について、上記各テーブルの定義により、上記アイコン関係性が存在するか否かの判定を実行する手段を備えることを特徴とする。
また請求項６による本願発明による視覚アプローチ適性検査システムは、請求項１乃至請求項５のいずれか記載の視覚アプローチ適性検査システムにおいて、上記本部コンピュータは、上記記憶手段にさらに付与アイコンが特定パターンを形成したときの意味を予め定義したテーブル５が格納され、予め定められている特定パターンが存在するか否かの判定を実行する手段を備えることを特徴とする。
また請求項７による本願発明による視覚アプローチ適性検査システムは、請求項１乃至請求項６のいずれか記載の視覚アプローチ適性検査システムにおいて、上記本部コンピュータは、上記記憶手段にさらに特定アイコンの出現による意味付けを予め定義したテーブル６が格納され、特定アイコンが出現するか否かの判定を実行する手段を備えることを特徴とする。
また請求項８による本願発明による視覚アプローチ適性検査システムは、請求項６記載の視覚アプローチ適性検査システムにおいて、上記特定パターンが密集配置、分散配置、バランス配置、偏差配置、底辺配置、上部配置、上下配置、左右配置、はみ出し配置及び／又はドール（ＤＯＬＬ）配置であることを特徴とする。
また請求項９による本願発明による視覚アプローチ適性検査システムは、請求項５記載の視覚アプローチ適性検査システムにおいて、上記アイコン関係性が重合、接合、ライン接合及び／又は近接であることを特徴とする。
【手続補正２】
【補正対象書類名】明細書
【補正対象項目名】００７７
【補正方法】変更
【補正の内容】
【００７７】
次に、各ステップにおける評価の内容について説明する。
アイコンの総数をカウントするカウントアップによる評価は次の通りである。
＜１＞カウントアップ数に制限がない場合
０：回答拒否に相当し無反応又は単純拒否（したくない）と評価する。
１〜１７：意欲度，自己表現力、自己主張（多い：高い）と評価する。
１８（ALL）：自己主張（かなり高い）、高意欲、高興味と評価する。
＜２＞カウントアップ数に制限がある場合（１０以上１８以下）
９以下：勘違い、低反応又は単純拒否（したくない）と評価する。
１０〜１７（指定）：意欲度，自己表現力、自己主張（多い：高い）と評価する。
１８（ALL）：勘違い、自己主張（かなり高い）、高意欲、高興味と評価する。
【手続補正３】
【補正対象書類名】特許請求の範囲
【補正対象項目名】全文
【補正方法】変更
【補正の内容】
【特許請求の範囲】
【請求項１】
被験者端末に通信ネットワークを介して接続される本部コンピュータからなる適性検査の検査システムであって、
上記本部コンピュータは、
境界エレメントにより多数のエリアが形成されそれ自体意味を有しない図形からなるチェックシート及び該チェックシートに付与される複数のアイコンを上記被験者端末に供する手段と、
上記チェックシートに設定された境界エレメントについての定義を予め定めたテーブル１、上記アイコンの種類及び付与個数とその意味についての定義を予め定めたテーブル２、上記チェックシート上のアイコンの付与位置における意味を予め定義したテーブル３が各格納される記憶手段と、
上記被験者端末から送信される被験者によるアイコン付与済みの検査データ及び被験者ＩＤを上記記憶手段にともに書き込む書込手段と、
上記記憶手段に記憶された検査データ及び被験者ＩＤをともに読み出しアイコンの総数をカウントするカウントアップ実行手段と、
読み出された上記検査データのアイコンの配置について、上記各テーブルの定義に該当するか否かの判定を実行する手段とを備え、
上記各判定より得られる結果が上記本部コンピュータに保存され、検査対象物のアイコンの個数及び検査対象物の全体の形状により被験者の適性検査の評価資料とすることを特徴とする視覚アプローチ適性検査システム。
【請求項２】
請求項１記載の視覚アプローチ適性検査システムにおいて、上記境界エレメントがライン、角の全部又は一部であることを特徴とする視覚アプローチ適性検査システム。
【請求項３】
請求項２記載の視覚アプローチ適性検査システムにおいて、上記ラインが直線、曲線、破線の全部又は一部であることを特徴とする視覚アプローチ適性検査システム。
【請求項４】
請求項２又は請求項３記載の視覚アプローチ適性検査システムにおいて、上記角が枠のコーナ、ラインとラインの交点である接点の全部又は一部であることを特徴とする視覚アプローチ適性検査システム。
【請求項５】
請求項１乃至請求項４のいずれか記載の視覚アプローチ適性検査システムにおいて、上記本部コンピュータは、上記記憶手段にさらに複数のアイコン間又はアイコンとライン間の位置関係による関係性（以下「アイコン関係性」という）についての意味を予め定義したテーブル４が格納され、読み出された上記検査データのアイコンの配置について、上記各テーブルの定義により、上記アイコン関係性が存在するか否かの判定を実行する手段を備えることを特徴とする視覚アプローチ適性検査システム。
【請求項６】
請求項１乃至請求項５のいずれか記載の視覚アプローチ適性検査システムにおいて、上記本部コンピュータは、上記記憶手段にさらに付与アイコンが特定パターンを形成したときの意味を予め定義したテーブル５が格納され、予め定められている特定パターンが存在するか否かの判定を実行する手段を備えることを特徴とする視覚アプローチ適性検査システム。
【請求項７】
請求項１乃至請求項６のいずれか記載の視覚アプローチ適性検査システムにおいて、上記本部コンピュータは、上記記憶手段にさらに特定アイコンの出現による意味付けを予め定義したテーブル６が格納され、特定アイコンが出現するか否かの判定を実行する手段を備えることを特徴とする視覚アプローチ適性検査システム。
【請求項８】
請求項６記載の視覚アプローチ適性検査システムにおいて、上記特定パターンが密集配置、分散配置、バランス配置、偏差配置、底辺配置、上部配置、上下配置、左右配置、はみ出し配置及び／又はドール（ＤＯＬＬ）配置であることを特徴とする視覚アプローチ適性検査システム。
【請求項９】
請求項５記載の視覚アプローチ適性検査システムにおいて、上記アイコン関係性が重合、接合、ライン接合及び／又は近接であることを特徴とする視覚アプローチ適性検査システム。